(57)【要約】【課題】シールドケース内の回路基板上に実装される発熱部材から生じる熱を効率良く確実に放熱をおこない得る構成の電子機器とこれを適用するテレビジョン受像装置を提供する。【解決手段】発熱部材１３が実装される回路基板１２と、発熱部材から発生する熱の放熱をおこなう放熱部材１５を具備したシールドケース１１とによって構成される電子機器１０において、放熱部材は、シールドケースとは別体に構成され、側面がギャザー状に形成されていると共に内部に冷却媒体１７を封止し得る形態で形成した。【選択図】図３
2006190707.tif 000002
【特許請求の範囲】
【請求項１】
発熱部材が実装される回路基板と、上記発熱部材から発生する熱の放熱をおこなう放熱部材を具備したシールドケースとによって構成される電子機器において、
上記放熱部材は、上記シールドケースとは別体に構成され、側面がギャザー状に形成されていると共に内部に冷却媒体を封止し得る形態で形成されていることを特徴とする電子機器。
【請求項２】
上記放熱部材は、上記発熱部材の一平面を押圧する方向への弾性を有して形成されており、
上記放熱部材の一平面と上記発熱部材の平面との間に熱伝導部材が挟持されていることを特徴とする電子機器。
【請求項３】
上記冷却媒体は、液状またはゲル状または固形状のうちのいずれかの媒体からなり、
上記放熱部材は、その内部において上記冷却媒体が移動自在となるように所定の余裕空間を確保して封止されていることを特徴とする請求項１に記載の電子機器。
【請求項４】
発熱部材が実装される回路基板と、上記発熱部材から発生する熱の放熱をおこなう放熱部材を具備したシールドケースとによって構成される電子機器と、映像を表示する映像表示装置とを少なくとも具備するテレビジョン受像装置において、
上記放熱部材は、上記シールドケースとは別体に構成され、側面がギャザー状に形成されていると共に内部に冷却媒体を封止し得る形態で形成されており、かつ上記放熱部材は上記発熱部材の一平面を押圧する方向への弾性を有して形成され、上記放熱部材の一平面と上記発熱部材の平面との間に熱伝導部材が挟持されてなる電子機器を適用したことを特徴とするテレビジョン受像装置。
【発明の詳細な説明】
【技術分野】
【０００１】
この発明は、電子機器及びこの電子機器が適用されるテレビジョン受像装置、詳しくは回路基板に実装される電子部品から発生する熱の放熱をおこなう部材を具備する電子機器とこの電子機器を適用するテレビジョン受像装置に関するものである。
【背景技術】
【０００２】
従来のテレビジョン受像装置等の電子機器においては、例えばチューナーや各種の信号処理回路等を実装する複数の回路基板を機器を構成する筐体の内部に配設して構成されているのが普通である。
【０００３】
一般に、これらの回路基板は、実装される電子回路から生じる電磁波を遮蔽する（シールドする）ために、例えば金属製のシールドケース等に収納された形態の電子機器を構成しているものがある。また、上記回路基板は、その実装面上に実装される電子部品として、例えば各種の信号処理をおこなう集積回路（Ｉntegrated Ｃircuit；以下，ＩＣと略記する）等の発熱部品を含んで構成されているものがある。
【０００４】
したがって、上述したように金属製のシールドケース内に回路基板を収納して構成される形態の電子機器では、回路基板上のＩＣ等の発熱部品から生じる熱がシールドケース内にこもってしまい、その結果、シールドケース内や当該電子部品自体が高温化してしまうことになる。このような場合には回路基板に実装される電子回路の動作が不安定になったり性能が低下してしまう等の問題が生じることがある。
【０００５】
そこで、シールドケース内に配設される回路基板上の発熱部品の放熱をおこなう手段については、従来より種々の手段が提案されており、また実用化されている。
【０００６】
例えば、特開平９−２９３９８０号公報によって開示されている電子機器は、シールドケースの側壁に放熱フィン抑えバネを固定する角穴を設け、この角穴にて固定される放熱フィン抑えバネによって放熱フィンを支持することにより、シールドケース内に収納される回路基板上の電子部品に対して放熱フィンを圧接するように構成したものである。
【０００７】
また、実開平２−１０４６９８号公報によって開示されている手段は、放熱部材及びこの放熱部材の一側面に電気絶縁的に装着される発熱部品を、板ばねからなり弾性を有するクリップ部材によって挟持することにより、発熱部品の熱を放熱部材へと伝導させるように構成したものである。
【０００８】
そして、特開平９−６４５８２号公報によって開示されている電子機器は、回路基板と平行なシールドケースの平面の一部に金属製の放熱用金属接触片を別個に取り付けるようにしたものである。この場合において、この放熱用金属接触片には、シールドケースの平面と平行な突起平面部を形成すると共に、この突起平面部の周辺部に溝加工等を施した自在変形部を構成している。このような構成によって、放熱用金属接触片を発熱部材に確実に接触させて、当該発熱部材から生じる熱をシールドケースに伝達するというものである。
【特許文献１】特開平９−２９３９８０号公報
【特許文献２】実開平２−１０４６９８号公報
【特許文献３】特開平９−６４５８２号公報
【発明の開示】
【発明が解決しようとする課題】
【０００９】
ところが、上述の特開平９−２９３９８０号公報によって開示される手段は、放熱フィンを放熱する手段として用いるものである。この放熱フィンは占有容積が大きくなってしまう問題点がある。また、発熱部品及び放熱フィン自体がシールドケース内に配設されるような構成にすると、放熱フィンによって放熱される熱がシールドケース内にこもってしまうことが考えられ、同シールドケース内の温度を低く抑えることができないという問題点がある。
【００１０】
また、実開平２−１０４６９８号公報によって開示されている手段では、回路基板上にクリップ部材を案内するガイド部材を形成する必要があるので、部品製造上の工数や製造コストが増大してしまうという問題点がある。
【００１１】
そして、特開平９−６４５８２号公報によって開示されている手段においては、金属製の放熱金属接触片の一平面を発熱部品面に直接接触させるようにしている。このとき、放熱金属接触片の有する弾性力によって発熱部品を押圧するような構成となっているので、発熱部品に損傷を与えてしまうおそれがある。
【００１２】
本発明は、上述した点に鑑みてなされたものであって、その目的とするところは、発熱部材が実装される回路基板と、この回路基板を収納するシールドケースとによって構成される電子機器において、シールドケース内の回路基板上に実装される発熱部材から生じる熱を効率良く確実に放熱をおこなうことのできるように構成した電子機器とこの電子機器を適用するテレビジョン受像装置を提供することである。
【課題を解決するための手段】
【００１３】
上記目的を達成するために、本発明による電子機器は、発熱部材が実装される回路基板と、上記発熱部材から発生する熱の放熱をおこなう放熱部材を具備したシールドケースとによって構成される電子機器において、上記放熱部材は、上記シールドケースとは別体に構成され、側面がギャザー状に形成されていると共に内部に冷却媒体を封止し得る形態で形成されていることを特徴とする。
【発明の効果】
【００１４】
本発明によれば、発熱部材が実装される回路基板と、この回路基板を収納するシールドケースとによって構成される電子機器において、シールドケース内の回路基板上に実装される発熱部材から生じる熱を効率良く確実に放熱をおこなう得る構成の電子機器とこの電子機器が適用されるテレビジョン受像装置を提供することができる。
【発明を実施するための最良の形態】
【００１５】
以下、図示の実施の形態によって本発明を説明する。  
図１は、本発明の一実施形態の電子機器が適用されるテレビジョン受像装置の概略構成を示す外観斜視図である。図２は、本実施形態の電子機器を分解して示す分解構成図である。図３は、図２の電子機器の要部のみを拡大して示す要部拡大分解構成図である。図４は、図２の電子機器が組み立てられた状態における主要部の断面を示す要部拡大断面図である。
【００１６】
まず、本実施形態の電子機器が適用されるテレビジョン受像装置の概略的な構成について、図１によって以下に説明する。
【００１７】
図１に示すように、本実施形態の電子機器１０が適用されるテレビジョン受像装置１は、箱型形状からなる外装筐体１ｃと、この外装筐体１ｃの前面に表示画面を露出するように配設される映像表示装置である映像表示部１ａと、この映像表示部１ａの周縁部であって上記外装筐体１ｃの前面側の所定の部位に配設される複数の操作部材からなる操作部１ｂと、上記外装筐体１ｃを支持する支持台１ｄ等によって主に構成されている。そして、電子機器１０は、上記外装筐体１ｃの内部の所定の部位に配設されている。
【００１８】
なお、映像表示部１ａとしては、例えばＣＲＴ（Ｃathod  Ｒay  Ｔube）型表示装置や液晶表示（ＬＣＤ；Ｌiquid Ｃrystal Ｄisplay）装置またはプラズマディスプレイ（Ｐlasma Ｄisplay）装置や電子蛍光ディスプレイ（Ｅlectro Ｌuminescent Ｄisplay；ＥＬディスプレイ）装置等が適用される。
【００１９】
次に、上記電子機器１０の構成について、図２〜図４を用いて以下に説明する。
【００２０】
本実施形態の電子機器１０は、図２に示すようにＩＣ等の発熱部材１３を含む複数の電子部品が実装される回路基板１２と、この回路基板１２の底面側を覆うように配設される箱部１１ｂ及び同回路基板１２の上面側を覆うように配設される蓋部１１ａとが一体化することで筺型形状に形成されるシールドケース１１と、このシールドケース１１に対して別体に形成され同シールドケース１１の蓋部１１ａの所定の部位に形成される孔部１１ｃに装着される放熱部材１５と、上記発熱部材１３の上面に配設される熱伝導部材である熱伝導シート１４等によって主に構成されている。
【００２１】
回路基板１２は、その実装面上に複数の電子部品が実装されてなり、例えばチューナーや映像信号処理回路等を構成している。この回路基板１２に実装される複数の電子部品には、上述したようにＩＣ等の発熱部材１３が含まれている。なお、図２〜図４では発熱部材１３以外の電子部品の図示は、図面の煩雑化を避けるために省略している。
【００２２】
シールドケース１１は、上述したように蓋部１１ａ及び箱部１１ｂとを組み合わせて一体化させることによって筺型形状に形成される。蓋部１１ａ及び箱部１１ｂは、例えば防磁機能を備えると共に熱伝導性に優れた薄板状の部材（金属等）を用いて折り曲げ加工を施すことにより形成される。
【００２３】
そして、蓋部１１ａは箱部１１ｂに対して着脱自在となるような構造を有している。この組み立て構造については特に図示しないが、例えば、蓋部１１ａのがわに設けた凸部に対して、これに対向する箱部１１ｂのがわの所定の部位に凹部を設け、これら一対の凸部と凹部とを嵌合させることによってワンタッチにて着脱し得る手段等、一般的な箱型構造の一体化手段として従来より用いられている手段が適用される。
【００２４】
このように構成されるシールドケース１１の内部には、回路基板１２がその底面及び上面を遮蔽した状態で収納配置されるようになっている。この場合において、シールドケース１１の箱部１１ｂの内部の底面と回路基板１２とが略平行となるように配設され、この状態で箱部１１ｂの開口側（回路基板１２の上面側）を覆うように蓋部１１ａが取り付けられる。ここで、蓋部１１ａの平面は、回路基板１２の実装面と略平行となるように配設される。
【００２５】
また、シールドケース１１の蓋部１１ａには、上述したように所定の部位に孔部１１ｃが穿設されている。この孔部１１ｃは、シールドケース１１が組み立てられた状態において、同シールドケース１１の内部に収納配置される回路基板１２上に実装される発熱部材１３の上面に対向する部位に穿設されている。
【００２６】
発熱部材１３の上面には、上述したように熱伝導部材である熱伝導シート１４が貼着されている。この熱伝導シート１４としては、柔軟性を備えた高熱伝導性の部材、例えばシリコーン系材料やアクリルゴム等の非シリコーン系材料またはアルミやカーボングラファイト材料を挟み込んだタイプのもの等、従来より一般に用いられているものが適用される。
【００２７】
放熱部材１５は、図３または図４に示すように例えば弾性を有する薄板状の金属部材等に折り曲げ加工等を施して形成されるものであって、全体が略角筒形状からなり、側面にギャザー状の蛇腹部１５ａが形成されてなるものである。そして、放熱部材１５の一端には開口部１５ｂが形成されており、これにより内部に所定の冷却媒体１７、例えば水等の液体（流体）媒体や金属たわし等の繊維状部材やゲル状媒体等を収納し得る収納部１５ｃが形成されている。この開口の周縁部には、蓋受け部１５ｄが形成されている。この蓋受け部１５ｄには、蓋部材１６が一体に装着されるようになっている。この蓋部材１６を装着することにより、収納部１５ｃの内部が封止されるようになっている。
【００２８】
放熱部材１５の底面の外面側は平面状に形成され、この平面は、上述したように熱伝導シート１４を介して発熱部材１３の上面に当接することで、熱伝導シート１４が挟持されるようになっている。したがって、放熱部材１５の底面の外面側の平面は、発熱部材１３の上面に対して平行となるように形成されている。
【００２９】
放熱部材１５の蛇腹部１５ａは、弾性を有し伸縮自在に形成されている。この蛇腹部１５ａの開口寄りの部位には、外周側に向けて凸形状となるクリック部１５ｅが周方向にわたって形成されている。また、このクリック部１５ｅに隣接する部位であって、同クリック部１５ｅよりも上側の部位には、内周側に向けて凸形状となる位置決め部１５ｆが形成されている。
【００３０】
ここで、図４に示すように、クリック部１５ｅの頂部間（外側）の幅寸法＝Ｌ１とし、蛇腹部１５ａの最大幅寸法＝Ｌ２とし、位置決め部１５ｆの頂部間（内側）の幅寸法＝Ｌ３とし、開口部１５ｂの最大幅寸法＝Ｌ４としたときの各寸法の大小関係は次のように設定されている。
【００３１】
Ｌ３＜Ｌ２＜Ｌ４＜Ｌ１
このような寸法関係に設定されているのは、次のような理由による。すなわち、蛇腹部１５ａの最大幅寸法＝Ｌ２は、開口部１５ｂの最大幅寸法＝Ｌ４よりも小（Ｌ２＜Ｌ４）となっている。これは、シールドケース１１に対して放熱部材１５を取り付ける際に、当該放熱部材１５の蛇腹部１５ａが、シールドケース１１の蓋部１１ａの上面側から孔部１１ｃを介してシールドケース１１の内部へと支障無く配置し得るようにするためである。
【００３２】
クリック部１５ｅの頂部間（外側）の幅寸法＝Ｌ１は、開口部１５ｂの最大幅寸法＝Ｌ４よりも大（Ｌ４＜Ｌ１）となっている。これは、位置決め部１５ｆの谷部（外側）に開口部１５ｂの内周縁部が嵌まり込むことで、放熱部材１５の位置決めがなされるようにするためである。
【００３３】
つまり、シールドケース１１に対して放熱部材１５を取り付ける際には、上述したように当該放熱部材１５の蛇腹部１５ａをシールドケース１１の蓋部１１ａの上面側から孔部１１ｃに挿通させる。こうして蛇腹部１５ａが孔部１１ｃを支障無く通過した後には、放熱部材１５のクリック部１５ｅの一方（下側）の傾斜面１５ｅａがシールドケース１１の蓋部１１ａの孔部１１ｃの内周縁部に当接する。放熱部材１５は、ここでいったん係止されることになる。
【００３４】
この状態にあるときに、放熱部材１５に対して図４に示す符号Ｆ方向への力量を加える。すると、同放熱部材１５は上述したように弾性を有する部材によって形成されていることから、同クリック部１５ｅの開口部１５ｂ近傍の部位は孔部１１ｃの内周縁部に押圧されて、図４の符号Ｆ２方向にたわむことになる。このとき、クリック部１５ｅの傾斜面１５ｅａは、孔部１１ｃの内周縁部に当接しつつ、これに沿って摺動することになる。そして、放熱部材１５自体は矢印Ｆ方向に移動する。
【００３５】
孔部１１ｃの内周縁部がクリック部１５ｅの頂部を乗り越えると、放熱部材１５の弾性復元力によって、孔部１１ｃの内周縁部は、クリック部１５ｅの他方の傾斜部１５ｅｂに沿って摺動し、最終的に位置決め部１５ｆの谷部に入り込む状態になる。これにより、放熱部材１５は、図４に示す位置に位置決めされる。
【００３６】
一方、放熱部材１５の収納部１５ｃの内部には、上述したように所定の冷却媒体１７が封止される。この場合において、冷却媒体１７は、蓋部材１６によって形成される密閉空間としての収納部１５ｃの内部において完全な満充填状態とされずに、図４の符号Ａに示されるように所定の余裕空間が確保された状態で冷却媒体１７が充填されるようになっている。このように収納部１５ｃに所定の余裕空間を確保することによって冷却媒体１７は、収納部１５ｃの内部において移動自在となる。したがって、冷却媒体１７が収納部１５ｃの内部で移動することによって撹拌され、これにより放熱効果の向上に寄与するようになっている。
【００３７】
以上説明したように上記一実施形態によれば、シールドケース１１の蓋部１１ａに孔部１１ｃを設け、この孔部１１ｃに弾性を有する薄板状の金属部材等によって形成される放熱部材１５を取り付けるようにし、この放熱部材１５の一平面と発熱部材１３の平面とを熱伝導シート１４を介して当接するような構造としている。そして、放熱部材１５は、側面にギャザー状の蛇腹部１５ａを設け、かつ内部に所定の冷却媒体１７を充填するようにしている。これにより、発熱部材１３から生じる熱は、熱伝導シート１４及び放熱部材１５を介してシールドケース１１へと確実に伝達されるような構造としている。したがって、本実施形態の電子機器１０は、効率的かつ確実にシールドケース１１の外部に向けて放熱をおこなうことができる。よって、当該電子機器１０の内部に熱がこもってしまうようなこともなく、確実に発熱部材１３の放熱をおこなうことができる。これにより、発熱部材１３および当該電子機器１０自体が高温化することを抑止でき、よって装置の安定性を常に確保することができる。
【００３８】
なお、上述の実施形態においては、放熱部材１５の全体形状を略角筒形状としているが、このような形状に限ることはなく、例えば全体を略円筒形状に形成し、その側面に蛇腹部を設けて構成してもよい。このように全体形状を異なる形状で形成したとしても、全体の形状に関らず上述の一実施形態と全く同様の効果を得ることができる。
【図面の簡単な説明】
【００３９】
【図１】本発明の一実施形態の電子機器が適用されるテレビジョン受像装置の概略構成を示す外観斜視図。
【図２】図１の電子機器を分解して示す分解構成図。
【図３】図２の電子機器の要部のみを拡大して示す要部拡大分解構成図。
【図４】図２の電子機器が組み立てられた状態における主要部の断面を示す要部拡大断面図。
【符号の説明】
【００４０】
１……テレビジョン受像装置
１ａ……映像表示部
１ｂ……操作部
１ｃ……外装筐体
１ｄ……支持台
１０……電子機器
１１……シールドケース
１１ａ……蓋部
１１ｂ……箱部
１１ｃ……孔部
１２……回路基板
１３……発熱部材
１４……熱伝導シート
１５……放熱部材
１５ａ……蛇腹部
１５ｂ……開口部
１５ｃ……収納部
１５ｄ……蓋受け部
１５ｅ……クリック部
１５ｅａ……一方の傾斜面
１５ｅｂ……他方の傾斜部
１５ｆ……位置決め部
１６……蓋部材
１７……冷却媒体
代理人弁理士伊藤進
【図１】
2006190707.tif 000003
【図２】
2006190707.tif 000004
【図３】
2006190707.tif 000005
【図４】
2006190707.tif 000006